(57)【要約】【課題】  簡素な構造にして耐久性にも優れ、しかも、通常のロック状態ではレンズが外れ難く、かつ、レンズがワンタッチで簡単確実に着脱交換可能な眼鏡のレンズ・リムロック機構を提供すること。【解決手段】  フロント枠Ｆにおける左右一対のリム１が弾性線材によって作製され、これら左右のリム１の上弦部11ａと下弦部11ｂを構成する線材は、当該フロント枠Ｆの左右両端から後方へ糾（あざ）ない持ち出されてブラケット智12を形成し、かつ、このブラケット智12の中間部には糾なわれる前記線材が弾性拡縮空間12ａを作出し、この空間12ａを圧縮方向へ圧迫変形させたとき当該リム１の上弦部11ａと下弦部11ｂとが弾力的に離反し、圧縮方向への圧迫を解除したとき上弦部11ａと下弦部11ｂとのリム径が復元してレンズＬを抱持可能に構成するという技術的手段を採用した。【選択図】  図１
2005062288.tif 000002
【特許請求の範囲】
【請求項１】
フロント枠Ｆにおける左右一対のリム１が弾性線材によって作製され、これら左右のリム１の上弦部11ａと下弦部11ｂを構成する線材は、当該フロント枠Ｆの左右両端から後方へ糾ない持ち出されてブラケット智12を形成し、かつ、このブラケット智12の中間部には糾なわれる前記線材が弾性拡縮空間12ａを作出し、この空間12ａを圧縮方向へ圧迫変形させたとき当該リム１の上弦部11ａと下弦部11ｂとが弾力的に離反し、圧縮方向への圧迫を解除したとき上弦部11ａと下弦部11ｂとのリム径が復元してレンズＬを抱持可能に構成したことを特徴とする眼鏡のレンズ・リムロック機構。
【請求項２】
ブラケット智12の持出端部の上下にナックル13・13が形成され、上下のナックル13・13にテンプルＴの基端部をヒンジ連結したことを特徴とする請求項１記載の眼鏡のレンズ・リムロック機構。
【請求項３】
ブラケット智12の弾性拡縮空間12ａにロック片２が嵌着可能であることを特徴とする請求項１または２記載の眼鏡のレンズ・リムロック機構。
【請求項４】
ロック片２が装飾模様21を備えたことを特徴とする請求項３記載の眼鏡のレンズ・リムロック機構。
【請求項５】
レンズ抱持部分におけるリム１の弾性線材の断面形状が扁平であることを特徴とする請求項１〜４の何れか一つに記載の眼鏡のレンズ・リムロック機構。
【請求項６】
リム１の上弦部11ａと下弦部11ｂとがフロント枠Ｆ中央において掛合してブリッジを形成することを特徴とする請求項１〜５の何れか一つに記載の眼鏡のレンズ・リムロック機構。
【発明の詳細な説明】
【技術分野】
【０００１】
本発明は、眼鏡の改良、更に詳しくは、簡素な構造にして耐久性にも優れ、しかも、通常のロック状態ではレンズが外れ難く、かつ、レンズがワンタッチで簡単確実に着脱交換可能な眼鏡のレンズ・リムロック機構に関するものである。
【背景技術】
【０００２】
周知のとおり、眼鏡のレンズをフロント枠に保持しておくために、リムの開放端部同士を固定することによってレンズの周縁を保持固定する、所謂「リムロック」と呼ばれる止着手段がある。
【０００３】
従来、かかるリムロックの眼鏡として、レンズを上下の線材リムによって挟持するメガネフレームが提案されている（特許文献１参照）。
【０００４】
また、上下の線材リムによってレンズを挟持し、かつ、側縁部に配設した形状記憶合金によって締め付け方向にリムを付勢してレンズを固定するメガネフレームが提案されている（特許文献２参照）。
【０００５】
しかしながら、これらいずれの眼鏡においても、レンズ脱着作業をする場合は、リムを拡径するために、その都度、エンドピース側のリムの両端部を離反させねばならない。この際、弾性限度(elastic limit) を越えるような変形が行われると、歪みが残ってリムの付勢力が弱まってしまい、レンズが外れ易くなってしまうという問題があった。更に、何度も変形が繰り返されると、疲労破壊(fatigue fracture)を生じる可能性がある。
【０００６】
また、リムに大きな外力がかかった場合は、両端部の接合部分に直接的に負荷が集中して、部品の亀裂や脱落などであっさりと破壊してしまうおそれがあり、耐久性における不満がある。
【特許文献１】実用新案登録第 3011365号公報（第５−７頁、第１−２図）
【特許文献２】特開平７−318868号公報（第２−３頁、第１−２図）
【発明の開示】
【発明が解決しようとする課題】
【０００７】
本発明は、従来の眼鏡のリムロックに上記のような問題があったことに鑑みて為されたものであり、その目的とするところは、簡素な構造にして耐久性にも優れ、しかも、通常のロック状態ではレンズが外れ難く、かつ、レンズがワンタッチで簡単確実に着脱交換可能な眼鏡のレンズ・リムロック機構を提供することにある。
【課題を解決するための手段】
【０００８】
本発明者が上記課題を解決するために採用した手段を添付図面を参照して説明すれば次のとおりである。
【０００９】
即ち、本発明は、フロント枠Ｆにおける左右一対のリム１が弾性線材によって作製さ
れ、これら左右のリム１の上弦部11ａと下弦部11ｂを構成する線材は、当該フロント枠Ｆの左右両端から後方へ糾（あざ）ない持ち出されてブラケット智12を形成し、かつ、このブラケット智12の中間部には糾なわれる前記線材が弾性拡縮空間12ａを作出し、この空間12ａを圧縮方向へ圧迫変形させたとき当該リム１の上弦部11ａと下弦部11ｂとが弾力的に離反し、圧縮方向への圧迫を解除したとき上弦部11ａと下弦部11ｂとのリム径が復元してレンズＬを抱持可能に構成するという技術的手段を採用した。
【００１０】
また、本発明は、上記課題を解決するために、必要に応じて上記手段に加え、ブラケット智12の持出端部の上下にナックル13・13を形成し、上下のナックル13・13にテンプルＴの基端部をヒンジ連結するという技術的手段を採用した。
【００１１】
更にまた、本発明は、上記課題を解決するために、必要に応じて上記手段に加え、ブラケット智12の弾性拡縮空間12ａにロック片２を嵌着可能にするという技術的手段を採用した。
【００１２】
更にまた、本発明は、上記課題を解決するために、必要に応じて上記手段に加え、ロック片２に装飾模様21を備えるという技術的手段を採用した。
【００１３】
更にまた、本発明は、上記課題を解決するために、必要に応じて上記手段に加え、リム１の上弦部11ａと下弦部11ｂとをフロント枠Ｆ中央において掛合してブリッジを形成するという技術的手段を採用した。
【００１４】
更にまた、本発明は、上記課題を解決するために、必要に応じて上記手段に加え、レンズ抱持部分におけるリム１の弾性線材の断面形状を扁平にするという技術的手段を採用した。
【発明の効果】
【００１５】
本発明においては、レンズ交換作業において、必要最小限の範囲内での圧縮操作で良いので、リム線材を変形させるとしても、常に弾性変形の領域内において作業することができるので、応力と歪みの関係による弾性限度以上にまで到達することがないので、弾性機能低下のリスクがほとんど無く、優れた耐久性を有するのである。
【００１６】
また、ワンタッチで簡単かつ確実にレンズを脱着することができると共に、リムに細手の線材を使用したことによって、デザイン的にもスッキリとまとめることができる。更にまた、必要に応じて、リムの弾性線材の断面形状を扁平にすることによって、バネ剛性を高めることができ、より確実にレンズを保持することができ、実用的利用価値は頗る高いものがあると云える。
【発明を実施するための最良の形態】
【００１７】
本発明を実施するための最良の形態を具体的に図示した図面に基いて更に詳細に説明すると次のとおりである。
【００１８】
『第１実施形態』
本発明の第１実施形態を図１から図３に基いて説明する。図１中、符号１で指示するものはリムであり、このリム１は弾性線材で作製され、例えば、ニッケル・チタン系超弾性合金（本実施形態では、β−チタン）を採用する。
【００１９】
しかして、本実施形態のリムロック機構を構成するにあっては、まず、前記左右のリム１の上弦部11ａと下弦部11ｂを構成する線材を、当該フロント枠Ｆの左右両端から後方へ糾ない持ち出してブラケット智12を形成して、テンプルＴに連結する。この際、ブラケット智12の中間部には糾なわれる前記線材が弾性拡縮空間12ａが作出される（図１および２参照）。
【００２０】
また、上弦部11ａおよび下弦部11ｂによってリム１を形成し、レンズＬの上縁および下縁からそれぞれ付勢して当該レンズＬを支持する。本実施形態では、レンズＬの側縁のヤゲン溝にリム１を嵌合させる。
【００２１】
この際、図３に示すように、この弾性拡縮空間12ａを圧縮方向へ圧迫変形させたときは当該リム１の上弦部11ａと下弦部11ｂとが弾力的に離反するとともに、圧縮方向への圧迫を解除したときは上弦部11ａと下弦部11ｂとのリム径が復元してレンズＬを抱持可能に構成しているのである。
【００２２】
なお、本実施形態では、ブラケット智12の持出端部の上下にナックル13・13を形成し、上下のナックル13・13にテンプルＴの基端部をヒンジ連結する。また、必要に応じて、レンズ抱持部分におけるリム線材１の断面形状を扁平にすることにより、バネ剛性を高めることができ、より確実にレンズを保持することができる。
【００２３】
本発明の特徴は、レンズ交換作業において、必要最小限の範囲内での圧縮操作で良いので、リム線材を変形させるとしても、常に弾性変形の領域内において作業することができるので、応力と歪みの関係による弾性限度以上にまで到達することがないので、弾性機能低下のリスクがほとんど無く、優れた耐久性を有するのである。
【００２４】
『第２実施形態』
本発明の第２実施形態を図４および図５に基いて説明する。本実施形態では、ブラケット智12の弾性拡縮空間12ａにロック片２を嵌着可能に構成する。このようにロック片２の嵌合状態にあっては、リム１が拡径することがないため、レンズＬの脱落を防止することができる。
【００２５】
また、このロック片２は、プラスチックで成形したものや、光沢金属で作製したものを採用したり、装飾模様21を備えるようにすることにより、装飾性を付与することができ、付加価値をより一層向上させることができる。
【００２６】
『第３実施形態』
本発明の第３実施形態を図６および図７に基いて説明する。本実施形態では、リム線材１の上弦部11ａと下弦部11ｂとがフロント枠Ｆ中央において掛合してブリッジを形成することによって眼鏡を構成することができるものである。このように構成することにより、ブリッジやノーズパッド等をロウ付け接合しなくても良い。
【００２７】
本発明は、概ね上記のように構成されるが、本発明は図示の実施形態に限定されるものでは決してなく、「特許請求の範囲」の記載内において種々の変更が可能であって、例えば、線材リム１の使用材料は、弾性材料であれば、他の金属材料やプラスチック材料であっても良い。また、ロック片２においては、装飾性を備えたデザインおよび材料を採用することができ、何れのものも本発明の技術的範囲に属する。
【図面の簡単な説明】
【００２８】
【図１】本発明の第１実施形態品を表わす全体斜視図である。
【図２】本発明の第１実施形態品を表わす部分拡大斜視図である。
【図３】本発明の第１実施形態品におけるレンズの取外し状態を表わす説明斜視図である。
【図４】本発明の第２実施形態品を表わす部分上面図である。
【図５】本発明の第２実施形態品を表わす部分拡大斜視図である。
【図６】本発明の第３実施形態品の分解斜視図である。
【図７】本発明の第３実施形態品を表わす全体斜視図である。
【符号の説明】
【００２９】
１    リム
11  リム枠
11ａ  上弦部
11ｂ  下弦部
12  ブラケット智
12ａ  弾性拡縮空間
13  ナックル
２    ロック片
Ｆ    フロント枠
Ｌ    レンズ
Ｔ    テンプル
【図１】
2005062288.tif 000003
【図２】
2005062288.tif 000004
【図３】
2005062288.tif 000005
【図４】
2005062288.tif 000006
【図５】
2005062288.tif 000007
【図６】
2005062288.tif 000008
【図７】
2005062288.tif 000009